(57)【要約】【課題】容器素材の色合いを活かして模様部分を形成できるようにし、簡易な構成で際立ち感のない模様を有した合成樹脂製の椀状容器を得る。【解決手段】凸部５のある椀内部材２と、凸部５を覆う透過部６及び透過部６以外の不透過部８のある椀外部材３とが一体となっていて、不透過部８を透過部６の肉厚に対して厚肉とし、不透過部８を厚肉により椀外部材３の色で濃色とし、その濃色の不透過部８により椀外面からは椀内部材２を不透視にして覆い、凸部５を覆う透過部６は薄肉により淡色にし、淡色の透過部６と凸部５との積層部分で模様部７を形成して、その模様部７の外縁には、凸部５周囲の斜面５ａ上で椀外部材３の肉厚が大きくなるに従がって透過部６の淡色から模様部７の周りの濃色に漸次変化する色変化部分９を位置させた。【選択図】図３
2014150832.tif 000002
【特許請求の範囲】
【請求項１】
合成樹脂材からなる椀内部材と合成樹脂材からなる椀外部材とが圧縮成形法により積層一体化されている椀状容器であり、椀周壁の一箇所または複数個所に椀外面側から目視可能な模様部が設けられている合成樹脂製の椀状容器において、
前記椀内部材と前記椀外部材とは、互いに異なる色に着色されているメラミン樹脂から形成されていて、
前記模様部は、該模様部の位置での前記椀内部材の肉厚を椀周壁厚未満の厚肉にして外方に向けて突出した凸部位の周囲に裾広がり状に傾斜した斜面を備えた凸部と、模様部の位置での前記椀外部材の肉厚を薄肉にして前記凸部の端面を覆っている透過部とが積層してなり、
前記模様部の透過部は、薄肉により椀外部材の色が略透明の淡色となって前記凸部の端面が目視可能とされ、
前記模様部の周りの椀外部材にあっては透過部の肉厚に対して厚肉とされて、この模様部の周りの椀外部材の色が椀内部材を目視不能とする濃色となっており、
前記模様部の外縁には、前記斜面上で椀外部材の肉厚が大きくなるに従がって透過部の前記淡色から模様部の周りの前記濃色に漸次変化する色変化部分が位置していることを特徴とする椀状容器。
【発明の詳細な説明】
【技術分野】
【０００１】
本発明は飯椀や汁椀なとの合成樹脂製とされた椀状容器に関するものである。
【背景技術】
【０００２】
従来、合成樹脂製の椀状容器においては、絵付けされた茶碗のように商品性を向上させることを目的として模様を椀内面側や椀外面側から見えるようにした製品が多く流通している。例えば特許文献１に示すように、硬質の熱可塑性合成樹脂よりなり外面に突出の模様部を有する内容器を形成し、さらに内容器の外側に軟質の熱可塑性合成樹脂よりなる外容器を射出成形して、内容器と外容器とを一体に溶着されたものとし、内外両容器の両方、或いは片方の容器を透明に形成し、内容器の模様部を内外両方、或いは何れかの片方から浮き出し模様として見えるようにしたボールなどの台所用容器が提案されており、内容器の前記突出の模様部は外容器と面一にしたり、その模様部が外容器で被覆されるようにする工夫が示されている。
【０００３】
また、メラミン樹脂などの合成樹脂材にて外面に凹凸を有する成型基体を形成し、その成型基体の外面側にメラミン樹脂などの半透明の合成樹脂材からなる被膜を施す圧縮成形があり、例えば特許文献２において、成型基体材料には黒色顔料を混入させたものを用いるとともに被膜材料には赤色顔料を混入させたものを用いて、圧縮成形より得られた食器の外側に、成形基体の黒色と被膜の赤色とが混合した漆色を表現するようにした点が示されている。
【０００４】
さらに、食器の内側部材の外面側となるように絵柄付きフィルムを位置させて金型に配し、この内側部材の外側に一体となるように外側部材を成形するインサート成形によりなるものも、例えば特許文献３に示されている。
【先行技術文献】
【特許文献】
【０００５】
【特許文献１】実公昭４０−０２３２４５号公報
【特許文献２】特開昭５３−１４５８７２号公報
【特許文献３】特開昭６３−２５４０１６号公報
【発明の概要】
【発明が解決しようとする課題】
【０００６】
ところで絵付けされた磁器などでは、表面を覆う薄いガラス質の部分を透して見えることで絵柄が際立ちの少ない色合いのものとなり、落ち着いた趣きのあるデザインとなっている。上述した特許文献１に示されている合成樹脂製の容器でも、模様が浮き出すがごとくに見えるデザインを有することを目的としているものである。しかしながら、内容器全体を透明としたり外容器全体を透明とするものであるために模様部の形状のみが際立って見えてしまい、落ち着いた色合いの模様を表現することができないものであった。
【０００７】
また、上述したメラミン樹脂などの熱硬化性樹脂を用いて成型基体の外面を被膜で覆う圧縮成形より食器を形成し、その成型基体と被膜との色を異ならせて、外側から両者の色が混合して見えるようにした特許文献２の技術では、成型基体の外面に凹凸を設けてはいるものの、成型基体と被膜との定着性を良好にするものである。そのため、この特許文献２の技術からなる食器などでは、その外面が単一色となって単調であり、文様などを表現できないという欠点がある。
【０００８】
また、特許文献３に示されている絵柄付き食器は絵柄付きフィルムを内側部材と外側部材との間に配し、透明層とした内側部材や外側部材を透して絵柄が見えるようにしたものである。しかしながら、フィルム上にある平滑な絵柄が透明層を透して見えるために絵柄自体が際立ち過ぎてしまうという不具合があった。さらに内側部材と外側部材との間にフィルムを介在させる構造であるので、そのフィルムと、内側部材及び外側部材との十分な密着性を確保するために、それぞれの採用できる成形材料が限定されるという問題もあった。
【０００９】
そこで本発明は上記事情に鑑み、容器素材の色合いを活かして模様部分を形成できるようにすることを課題とし、簡易な構成で際立ち感のない模様を有した合成樹脂製の椀状容器を得ることを目的とするものである。
【課題を解決するための手段】
【００１０】
（請求項１の発明）
本発明は上記課題を考慮してなされたもので、合成樹脂材からなる椀内部材と合成樹脂材からなる椀外部材とが圧縮成形法により積層一体化されている椀状容器であり、椀周壁の一箇所または複数個所に椀外面側から目視可能な模様部が設けられている合成樹脂製の椀状容器において、
前記椀内部材と前記椀外部材とは、互いに異なる色に着色されているメラミン樹脂から形成されていて、
前記模様部は、該模様部の位置での前記椀内部材の肉厚を椀周壁厚未満の厚肉にして外方に向けて突出した凸部位の周囲に裾広がり状に傾斜した斜面を備えた凸部と、模様部の位置での前記椀外部材の肉厚を薄肉にして前記凸部の端面を覆っている透過部とが積層してなり、
前記模様部の透過部は、薄肉により椀外部材の色が略透明の淡色となって前記凸部の端面が目視可能とされ、
前記模様部の周りの椀外部材にあっては透過部の肉厚に対して厚肉とされて、この模様部の周りの椀外部材の色が椀内部材を目視不能とする濃色となっており、
前記模様部の外縁には、前記斜面上で椀外部材の肉厚が大きくなるに従がって透過部の前記淡色から模様部の周りの前記濃色に漸次変化する色変化部分が位置していることを特徴とする椀状容器を提供して、上記課題を解消するものである。
【発明の効果】
【００１１】
（請求項１の発明の効果）
請求項１に係る発明によれば、椀内部材の凸部を椀外部材の透過部で覆った模様部の外縁には上記色変換部分が位置しているので、模様部からその模様部の周りにかけて色が徐々に変化するように見えることとなり、模様部単独で際立つことなしにその周りの色合いの部分と調和して椀状容器の外周面に落ち着いた雰囲気のあるデザインが得られる。
【図面の簡単な説明】
【００１２】
【図１】本発明に係る椀状容器の一例を一部切り欠いて示す説明図である。
【図２】一例における椀内部材を一部切り欠いて示す説明図である。
【図３】模様部を拡大断面で示す説明図である。
【発明を実施するための形態】
【００１３】
つぎに本発明を図１から図３に示す実施の形態に基づいて詳細に説明する。図中１は合成樹脂製の椀状容器で、飯椀の形態を有した例が示されている。そして、この椀状容器１はメラミン樹脂からなる椀内部材２の外面側にメラミン樹脂からなる椀外部材３が積層しているものであり、先に圧縮成形した椀内部材２を容器成形の金型内に配し、さらにその椀内部材２の外面側に椀外部材３の成形材料を配して圧縮成形を行なって椀内部材２と椀外部材３とが積層一体化した椀状容器である。
【００１４】
一体化して椀状容器１を構成している椀内部材２と椀外部材３とはそれぞれ着色剤により互いに異なる色に着色されている。この内、前記椀内部材２は乳白の色となるように着色されて椀外部材３の色より明度の高い色合いとなっている。そして、飯椀とする椀状容器の用途に適するように椀内部材自体の光の透過度合いが低くなるように肉厚設定されて成形されている。
【００１５】
さらに、椀外部材３との積層で椀周壁４を構成する部分の外面には、図２に示すように椀内部材３の肉厚を椀周壁厚未満の厚肉にして外方に向けて突出し、椀外方側から見て略違い鷹の羽状の形状とした凸部５が設けられており、前記凸部５は椀周方向に等間隔に配置している。そして、凸部５としている凸部位ではその凸部５の端面５ａから裾広がり状に傾斜した斜面５ｂを備えている。なお、図示した椀内部材２での凸部５は四方に配置されているが、一箇所であってもよく、位置も図示の例には限定されない。
【００１６】
椀外部材３は暗色系の色に着色されていて、椀内部材２の色より明度の低い色合いとなっている。そして、上記凸部５を有する椀内部材２の外面に積層されてその椀内部材２とで椀周壁４を構成する部分にあっては椀内部材２の凸部５をも含めて椀内部材２の外面全体を覆っていて、前記凸部５を覆って積層している部分を薄肉の透過部６とし、透過部６以外の部分については透過部６の肉厚に比して厚肉となっている。また、図１に示されているように上記斜面５ｂ上に重なる部分にあっては、その斜面５ｂが広がる方向に沿って椀外部材３の肉厚が漸次大きくなっている。透過部６は圧縮成形時において良流動性の特性を有するメラニン樹脂が椀外部材の成形に際して凸部５の端面５ａと椀外部材外面形成の成形金型面との間（端面と金型面とが接し或いは極めて薄い隙間を介在して相対する間）に入り込んで伸びやかに広がるようになり、これにより透過部６は箔の如くの薄肉となっている。
【００１７】
上述のように椀外部材３では、椀内部材２の凸部５を覆う上記透過部６が薄肉とされているとともに、前記透過部６以外の部分をその透過部６の肉厚に比して厚肉に形成されており、これによって椀周壁４の外面形状が凸部５に対応する部分でデコボコにならずに連続した曲面となるように成形されている。そして、椀外部材３の前記透過部６は、薄肉により椀外部材３の色が淡色となって、この淡色の透過部６を透して凸部５が目視可能とされている。本椀状容器１では凸部５と透過部６との積層した部分で、前記透過部６を透して凸部５の端面５ａが目視できるとともに、透過部６の淡色と凸部５の端面５ａの色とが合わさって見えるようになっており、前記凸部５の端面５ａと前記透過部６との積層部分を模様部７としている。
【００１８】
椀外部材３において模様部７の周りの部分は、上述したように透過部６の肉厚に対して厚肉とされている。そして厚肉となっている部分の色が濃色となっており、濃色とすることで椀内部材２を椀外方からは目視できない不透視の状態で覆う不透過部８とされている。椀周壁４の外面は大半の面が濃色の不透過部８で構成され、外面の一部分に明度の高い前記模様部７が存在するレイアウトであるが、その模様部７では、不透過部８と同じ成形材料からなる層が薄肉になってその色が略透明の淡色になった透過部６が乗った状態となっているので、凸部５の端面５ａの色の際立ちを抑えた状態で目視され、よって模様部自体が際立たずに落ち着いた雰囲気のある椀状容器１となっている。
【００１９】
さらに、模様部７の外縁には色変化部分９が設けられている。図３に示すようにこの色変化部分９は、上記斜面５ｂ上で椀外部材３の肉厚が漸次大きくなる部分に対応位置しており、斜面５ｂ上で枠外部材３の肉厚が徐々に大きくなるに従がって透過部６の淡色から模様部７の周りの濃色に漸次変化している。このように模様部７の外縁に色変化部分９が位置していることから、模様部７の外縁で模様部７において見ることのできる色とこの模様部７の周りの色（不透過部８の色）とが明確に色分けされるものとはならず、模様部７で見える色とその周りの色とが混じり合って見える状態となるようにしている。この点からも模様部７が際立ちせず、椀周壁の外面に統一感のあるデザインが形成されている。
【００２０】
またさらに、椀外部材３にあっては、成分の一つとして椀内部材２と椀外部材３との両者の着色剤の色と異なる色として、例えば焦げ茶色の色を有する固形の粉状物１０が配合されて分散している。そして、椀外面側から前記粉状物１０が目視可能とされており、透過部６と不透過部８との両者に粉状物１０が位置しているものである。これによっても模様部７とその周りの不透過部８とに連続した統一感が付与され、落ち着きのある外観を備えた椀状容器としているものである。
【００２１】
なお、上記実施の形態では椀状容器を飯椀とした場合の例を示しているが、本発明はこの例に限定されるものではなく、椀内部材と椀外部材との色合いや、模様部とその周囲との明暗差の度合い、さらに粉状物の色合いも特に限定されるものではない、
【符号の説明】
【００２２】
１…椀状容器
２…椀内部材
３…椀外部材
４…椀周壁
５…凸部
５ａ…端面
５ｂ…斜面
６…透過部
７…模様部
８…不透過部
９…色変化部分
１０…粉状物
【図１】
2014150832.tif 000003
【図２】
2014150832.tif 000004
【図３】
2014150832.tif 000005